(57)【特許請求の範囲】
【請求項１】
所定の筐体を備えたコンピュータ装置であって、前記筐体は、開閉自在な蓋体を備えたノート型の筐体であり、前記筐体の蓋体の表面には、底部に転動可能なボールの一部を表出せしめる円形孔を有したマウスの前記円形孔と嵌着可能な嵌着部材が設けられており、当該嵌着部材は円環状部分を有し、当該円環状部分の少なくとも一部を形成し前記円形孔に嵌入される孔支持部を有し、当該孔支持部には、前記孔支持部が前記円形孔に嵌入されたとき前記円形孔の縁に係止されるように、係止爪が突出して設けられていることを特徴とするコンピュータ装置。
【発明の詳細な説明】
【０００１】
【発明の属する技術分野】
本願発明は、コンピュータ操作に使用するマウスの円形孔を利用して、該マウスを着脱自在に嵌着固定するマウス装着具およびコンピュータ装置に関するものである。
【０００２】
【従来の技術】
昨今では、コンピュータ装置が普及し、オフィスはもちろん、家庭や学校等においてもデスクトップ型のコンピュータ装置が広く使用されている。また、データ通信の発達に基づき、携帯用として、ノート型等のパーソナルコンピュータ装置が使用されている。
このようにコンピュータ装置の普及に伴い、最近では、子供も自分専用のコンピュータ装置を所持していることも珍しいことではなくなってきている。
その要因の一つとして、これらのコンピュータ装置には、ディスプレイ画面に表示された内容から特定の処理を選択する、あるいは確定するためにマウスが接続され、マウス操作によって簡単にコンピュータ装置を使用できることにある。
【０００３】
このような従来より使用されているマウスは、外形上面は、手のひらに馴染む曲面を有し、底部には円形孔が設けられている。この円形孔からマウス内に収容されたマウスボールの一部が表出されて、所定面上で転動することにより、マウスが接続されたコンピュータ装置のディスプレイ装置の画面に表示されたカーソルを移動させるものである。
そして、例えば、デスクトップ型のコンピュータに接続されたマウスは、コンピュータ装置を使用しないときには机上で邪魔になり片づかないことから、上方が開口した所定大のマウス収容ケースをディスプレイ装置や壁に取り付けてこれに収容されていた。
また、ノート型コンピュータ装置は、多くは携帯用として使用されるため、蓋を開いたときに表出するキーボードの近傍に、ポインティングデバイスとして、トラックバッドやトラックボールが設けられているが、これらよりマウスの方が使いやすいことからノート型コンピュータ装置にマウスを接続して使用されている。
【０００４】
【発明が解決しようとする課題】
しかしながら、ディスプレイ装置や壁に取り付けられたマウス収容ケースは、所定のスペースが必要であるためケース自体が非常に邪魔であった。
また、最近のディスプレイ装置は、ＣＲＴディスプレイ装置から液晶ディスプレイ装置にと移り変わってきた。この液晶ディスプレイ装置は、奥行きもなく、筐体がコンパクトなため、マウス収容ケースを取り付けるスペースが確保できないといった問題があった。
さらに、ノート型コンピュータ装置を持ち運ぶ際には、コンピュータ装置からマウスを離して別々に持ち運んだり、マウスをコンピュータ装置に接続したまま持ち運ぶ場合にはマウスがぶら下がってしまったり、コンピュータと一緒に抱えるようにして運ぶ場合にもマウスが滑り落ちてしまうといった問題があった。
また、子供においては、マウスの取り扱いが丁寧ではなく、机上で他のものと一緒に箱等に入れて片づけてしまったり、運搬時にマウスがぶら下がってしまうことや落としてもさほど気にしないことがあった。
【０００５】
本願発明は、上記従来の問題点に鑑み案出されたものであって、マウスの底部に設けられた円形孔を嵌着部材に着脱自在に嵌着させるようにしたため、狭い場所や机上でも邪魔にならず嵌脱着により容易に片付けることのできる場所が確保され、またノート型コンピュータにマウスを着脱自在に嵌着させる嵌着部材を備えるようにしたためコンピュータ装置からマウスが滑り落ちることなく共に持ち運ぶことのできるマウス装着具およびコンピュータ装置を提供することを目的とする。
【０００７】
【課題を解決するための手段】
上記課題を達成するため、請求項１記載のコンピュータ装置は、所定の筐体を備えたコンピュータ装置であって、前記筐体は、開閉自在な蓋体を備えたノート型の筐体であり、前記筐体の蓋体の表面には、底部に転動可能なボールの一部を表出せしめる円形孔を有したマウスの前記円形孔と嵌着可能な嵌着部材が設けられており、当該嵌着部材は円環状部分を有し、当該円環状部分の少なくとも一部を形成し前記円形孔に嵌入される孔支持部を有し、当該孔支持部には、前記孔支持部が前記円形孔に嵌入されたとき前記円形孔の縁に係止されるように、係止爪が突出して設けられていることを特徴とする。
【０００８】
【発明の実施の形態】
以下、本願発明に係る一実施の形態について、図面を参照して説明する。
図１は、本願発明のマウス装着具１の概略構成図であり、図１中、３はマウスの底部に設けられた円形孔が着脱自在に嵌着される嵌着部材であり、１７は前記嵌着部材３が取り付けられるマウス装着板である。
また、２５は前記マウス装着具に取り付けられるマウス、２７はマウス２５の底部に設けられた円形孔、２９はマウスボールである。
すなわち、マウス２５は、前述したように、上部面が手のひらに沿った曲面を有し、底部に円形孔２７が設けられ、この円形孔２７から該マウス２５内に収容されたマウスボール２９の一部分が表出され、所定面上を転動させるものである。
【０００９】
嵌着部材３は、前記マウス２５の円形孔２７が嵌着されるものであり、以下に詳細を説明する台部材５、孔嵌入部７、ボール支持部９、孔係止部１１、係止爪１３、スリット１５により構成されている。
これらのうち、台部材５は、所定大の円形を成し、その外縁内側に前記マウス２５の円形孔２７に沿って嵌入される孔嵌入部７が上方へ突出して３カ所に設けられている。
また、この台部材５の略中央には、前記マウス２５のマウスボール２９の球面の一部分を支持するボール支持部９が円環状の突起として設けられている。
【００１０】
孔支持部１１は、本実施の形態では、該孔支持部１１が内外方向への弾性を有するために前記ボール支持部９の外縁に嵌着される円環から３方向に設けられた所定曲面からなる板で形成され、その板面が前記台部材５に設けられた前記孔嵌入部７間にそれぞれ配置されている。このように孔支持部１１が所定曲面の板で形成され弾性を有することにより、該孔支持部１１に内方向へ力が働いた場合にも折れにくくすることができる。
【００１１】
また孔支持部１１の上部先端には係止爪１３が設けられている。この係止爪１３は、該孔支持部１１が前記孔嵌入部７とともに前記マウス２５の円形孔２７に嵌入された場合に、該孔支持部１１が円形孔２７の縁に係止されるように孔支持部１１の外側に突出して設けられたものである。
なお、該孔支持部１１は、前記孔嵌入部７とともに台部材５と一体に成形してもよい。
スリット１５は、前記孔支持部１１の両側部にあって前記孔嵌入部７との間に設けられた間隙である。このスリット１５により、弾性を有する前記孔支持部１１が前記円形孔２７から着脱される場合に前記孔嵌入部７と接触することがなくなる。
【００１２】
マウス装着板１７は、例えばプラスチック等からなり、前記嵌着部材３が取り付けられる孔１９が板面所定位置に設けられている。この孔１９は、前記嵌着部材３の孔嵌入部７と孔支持部１１とで形成された円環状部分が挿着されるものである。
また、マウス装着板１７には、回動防止手段として、マウス２５の底部の外形に沿った所定深さの凹部２１が設けられ、マウスの側部下方が当接する当接部２３が形成される。これは、該孔１９に取り付けられた嵌着部材３にマウス２５の円形孔２７を嵌着させた場合に、マウス２５が円形孔２７を中心として回動しようとした場合に、該当接部２３に当接して回動を防止させるためである。
そして、図１に示すように、マウス装着板１７の孔１９に嵌着部材３を取り付けると、本願発明のマウス装着具１となる。
【００１３】
つぎに、上記構成のマウス装着具１にマウス２５を着脱する様子について説明する。
マウス装着具１にマウスを嵌着する場合には、マウス２５の底部に設けられた円形孔２９を嵌着部材３と合わせてマウス装着板１７へ向けてマウス２５を押す。すると、孔支持部１１と孔支持部１１に設けられた係止爪１３は、円形孔２７の縁によって内側に押され、縁の下方から上方、つまりマウス２５の外面から内側に入ることとなる。係止爪１３がマウス２５の内側に入ると、前記弾性を有する孔支持部１１は元の形状に戻ろうとして、係止爪１２が円形孔１９の縁に係止されて、マウス２５がマウス装着具１に嵌着される。
そして前記マウス装着板１７に設けられた凹部１７の当接部２３にマウス２５の側部下方が当接して、該マウス２５は円形孔２７を中心に回動することなく嵌着される。
【００１４】
また、マウス装着具１からマウス２５を取り外す場合には、マウス装着板１７からマウス２５を引っ張る。すると、孔支持部１１に設けられた係止爪１３は、円形孔２７の縁によって内側に押され、縁の上方から下方であるマウス２５の内側から外面に出ることになり、マウス２５を取り外すことができる。
【００１５】
図３に示すように、マウス装着具１のマウス装着板１７を、例えば、縦１５ｃｍ程度、横１０ｃｍ程度の大きさにして、デスクトップ型コンピュータの近傍の壁に取り付けると壁掛け式のマウス装着具１となる。
また、例えばマウス装着板１７の大きさを縦横３ｃｍ程度にして、両面テープ等でディスプレイ装置の筐体に取り付けると、コンパクトなマウス装着具１とすることができる。
【００１６】
つぎに、第２の実施の形態として上記マウス装着具を装備したコンピュータ装置としてノート型コンピュータ装置を例に説明する。
図４は、本願発明に係るコンピュータ装置３１の概略構成図であり、３３は本実施の形態に係るノート型コンピュータ装置３１の筐体、３５は前記筐体の所定位置に設けられた凹部、３７は当接部、３９は孔である。
なお、上記第１の実施の形態と同一部分には同一符号を付して詳細な説明は省略する。
【００１７】
すなわち、ノート型コンピュータ装置３１の筐体３３の上部面（蓋部）の所定位置に、前記マウス２５の底部外形に沿った凹部３５が設けられ当接部３７が形成されている。この凹部３５にはマウス２５を配置したときに円形孔２７と一致する位置に孔３９が設けられ、前記嵌着部材３が取り付けられている。
そして、上記第１の実施の形態と同様に、前記嵌着部材３にマウス２５の円形孔２７を嵌着すると、コンピュータ装置３１にマウス２５が装着されるとともに当接部３７にマウス２５の側部下方が当接して円形孔２７を中心に回動することが防止できる。
このようにコンピュータ装置３１の筐体３３にマウス２５を装着することにより、コンピュータ装置３１を持ち運ぶ際にもマウス２５が滑り落ちたり、滑り落ちてぶら下がったまま持ち運ぶということがなくなる。
【００１８】
なお、上記実施の形態では、嵌着部材３を構成する孔支持部を３カ所に設けて説明したが、孔支持部は２カ所でも４カ所でもよく、マウスの円形孔が嵌着できるものであれば、孔支持部の数は特に限定されない。
また、上記実施の形態では、マウスの円形孔に沿って孔支持部を嵌着するために、孔支持部間に孔嵌入部を設けて説明したが、マウスの円形孔に嵌着できれば、孔嵌入部は特に設けなくてもよい。
なお、上記実施の形態では、回動防止手段として、マウス装着板やコンピュータ装置の蓋部に凹部を設けて当接部を形成しマウスが当接することにより回動を防止するとして説明したが、マウスの底部外形に沿った凸部により当接部を設けてマウスの回動を防止してもよく、マウスの回動が防止できればその形状は特に限定されない。
また、上記実施の形態では、回動防止手段としてマウスの底部外形に沿った凹部により当接部を設けて説明したが、回動が防止できればマウスの底部外形の一部分に沿ったものでもよく、当接部が当接するマウスの場所は特に限定されない。
【００１９】
なお、上記実施の形態では、回動防止手段をマウスの底部外形に沿ったものとして説明したが、所定範囲以内で回動が防止できれば、マウスと回動防止手段の当接部との間に多少の間隙を有していてもよく、間隙の有無は特に限定されない。
また、上記実施の形態では、マウス装着具をディスプレイ装置の筐体に取り付けて説明したが、該マウス装着具を筐体と一体に成形してもよく、成形方法は特に限定されない。
なお、上記実施の形態では、マウスが嵌脱着可能な嵌着部材をノート型コンピュータ装置の蓋部に設けて説明したが、キーボードやプリンタといったコンピュータ周辺機器に設けてもよく、マウスを使用するコンピュータ装置の近傍であれば取り付け位置は特に限定されない。
【００２０】
【発明の効果】
本願発明によると、マウスをマウス装着具に嵌脱着する簡単な方法でマウスを片づけることができ、また、マウス装着具をコンパクトに形成できるため、従来のマウス収容ケースのようにスペースを必要としない。またスペースを必要としないことから液晶ディスプレイ装置の筐体にも取り付けることができるといった利点がある。
また、本願発明は、マウス嵌着部材をコンピュータ装置に具備したため、コンピュータ装置の近傍にマウスを片づけることができる。
また、本願発明は、マウス装着具をコンピュータ装置の蓋部に具備したため、コンピュータ装置を持ち運ぶ際に誤って落としてしまったり別の袋等に入れて持ち運ぶ必要もなくなくなり、子供でもマウスとコンピュータ装置とを一緒に簡単に持ち運ぶことができるようになる。
【図面の簡単な説明】
【図１】本願発明の一実施の形態に係るマウス装着具の概略構成図である。
【図２】本願発明の一実施の形態に係るマウス装着具にマウスを装着した様子の断面図である。
【図３】本願発明の一実施の形態に係るマウス装着具の説明図である。
【図４】本願発明の第２の実施の形態に係る嵌着部材を具備したコンピュータ装置の説明図である。
【符号の説明】
１  マウス装着具
３  嵌着部材
５  台部材
７  孔嵌入部
９  ボール支持部
１１  孔係止部
１３  係止爪
１５  スリット
１７  マウス装着板
１９  孔
２１  凹部
２３  当接部
２５  マウス
２７  円形孔
２９  マウスボール
３１  コンピュータ装置
３３  筐体
３５  凹部
３７  当接部
３９  孔
【図１】
0003619471.tif 000002
【図２】
0003619471.tif 000003
【図３】
0003619471.tif 000004
【図４】
0003619471.tif 000005